(57)【要約】【課題】電気機器の待機電力等を小さくすることが容易となるスイッチング電源回路を提供する。【解決手段】二次側コイルの電流によって電力が生じる補助巻線を有するトランスと、一次側コイルと接地点の導通／遮断を切替えるスイッチ素子と、スイッチ素子にスイッチング動作を行わせるスイッチング制御部と、補助巻線から得られる電力を、スイッチング制御部へ駆動電力として供給する補助巻線電力供給回路と、を備え、スイッチング制御部は、所定条件下において、スイッチング動作が行われる期間とスイッチング動作が停止される期間が所定周期で交互に繰り返される間欠動作が行われるようにし、補助巻線電力供給回路は、補助巻線からスイッチング制御部への駆動電力の伝送経路において、駆動電力の充放電を行うコンデンサが少なくとも二つ接続されているスイッチング電源回路とする。【選択図】図４
2014045591.tif 000002
【特許請求の範囲】
【請求項１】
一次側コイルと二次側コイルを有するとともに、二次側コイルの電流によって電力が生じる補助巻線を有するトランスと、
前記一次側コイルと接地点の間における導通／遮断の切替を行うスイッチ素子と、
前記スイッチ素子に、前記切替を繰返すスイッチング動作を行わせるスイッチング制御部と、
前記補助巻線から得られる電力を、前記スイッチング制御部へ駆動電力として供給する補助巻線電力供給回路と、を備え、
前記スイッチング動作によって前記トランスに入力電力を変換させ、変換された電力を負荷へ供給するスイッチング電源回路であって、
前記スイッチング制御部は、
所定の条件下において、前記スイッチング動作が行われる期間と前記スイッチング動作が停止される期間が所定周期で交互に繰り返される間欠動作が行われるようにし、
前記補助巻線電力供給回路は、
前記補助巻線から前記スイッチング制御部への前記駆動電力の伝送経路において、該駆動電力の充放電を行うコンデンサが少なくとも二つ接続されていることを特徴とするスイッチング電源回路。
【請求項２】
前記補助巻線電力供給回路は、
アノードが前記補助巻線に接続された第１ダイオードと、
アノードが第１ダイオードのカソードに接続され、カソードが前記スイッチング制御部に接続された第２ダイオードと、
一端が第１ダイオードと第２ダイオードの間にある第１接続点に接続され、他端が接地された第１コンデンサと、
一端が第２ダイオードと前記スイッチング制御部の間に接続され、他端が接地された第２コンデンサと、を備え、
第１コンデンサと第２コンデンサが、前記駆動電力の充放電を行うように形成されていることを特徴とする請求項１に記載のスイッチング電源回路。
【請求項３】
前記補助巻線電力供給回路は、
第１ダイオードと第１接続点との間、および第２ダイオードと第１接続点との間の各々に、抵抗器が設けられていることを特徴とする請求項２に記載のスイッチング電源回路。
【請求項４】
第１コンデンサおよび第２コンデンサは、電解コンデンサであることを特徴とする請求項３に記載のスイッチング電源回路。
【請求項５】
前記スイッチング制御部は、
所定の間欠動作指示信号が与えられているときに、前記間欠動作が行われるようにし、
前記間欠動作指示信号が与えられていないときに、
入力されるフィードバック信号に基づいて前記トランスによって変換される電力が目標値に近づくように、前記スイッチング動作をフィードバック制御することを特徴とする請求項１から請求項４の何れかに記載のスイッチング電源回路。
【請求項６】
二次側が前記スイッチング制御部に接続された第１フォトカプラを有し、前記スイッチング制御部への前記フィードバック信号の伝送に用いられるフィードバック回路と、
二次側が前記スイッチング制御部に接続された第２フォトカプラを有し、前記スイッチング制御部への前記間欠動作指示信号の伝送に用いられるスリムスタンバイ回路と、
を備えたことを特徴とする請求項５に記載のスイッチング電源回路。
【請求項７】
第２フォトカプラの二次側は、
第１フォトカプラの二次側と前記スイッチング制御部の間にある第２接続点に接続されており、
第２フォトカプラがＯＮの状態であるときに、第２接続点側から電流を引込むように機能することを特徴とする請求項６に記載のスイッチング電源回路。
【請求項８】
請求項１から請求項７の何れかに記載のスイッチング電源回路を備え、該スイッチング電源回路からの供給電力を用いて駆動する電気機器であって、
待機状態であるときに、前記間欠動作指示信号が前記スリムスタンバイ回路を介して前記スイッチング制御部へ出力されることを特徴とする電気機器。
【請求項９】
過電圧または短絡が生じたときに、所定の保護信号が前記スリムスタンバイ回路を介して前記スイッチング制御部へ出力され、
前記スイッチング制御部は、
前記保護信号を受けたときに、前記スイッチング動作を停止させることを特徴とする請求項８に記載の電気機器。
【発明の詳細な説明】
【技術分野】
【０００１】
本発明は、スイッチング電源回路およびこれを用いた電気機器に関する。
【背景技術】
【０００２】
従来、電気機器に電源を供給するスイッチング電源回路が広く利用されている。スイッチング電源回路によれば、例えば商用電源からの入力電力を用いて所望の出力電力を得ることが可能である。またスイッチング電源回路は、一般的に電力損失を抑えることが容易であり、電気機器の低消費電力化に有効である。
【先行技術文献】
【特許文献】
【０００３】
【特許文献１】特開２００９−３０３２８１号公報
【発明の概要】
【発明が解決しようとする課題】
【０００４】
ところで多くの電気機器は、通常状態（いわゆる電源ＯＮの状態）と待機状態（いわゆる電源ＯＦＦの状態）の間での切替が可能となっている。一般的に待機状態では、その電気機器の機能が大幅に制限されるが、その分だけ消費電力（待機電力）が小さく抑えられるようになる。
【０００５】
また低消費電力化の観点から、待機電力自体を出来るだけ小さくすることが望まれる。本発明はこのような問題に鑑み、電気機器の待機電力等を小さくすることが容易となるスイッチング電源回路、およびこれを用いた電気機器の提供を目的とする。
【課題を解決するための手段】
【０００６】
本発明に係るスイッチング電源回路は、一次側コイルと二次側コイルを有するとともに、二次側コイルの電流によって電力が生じる補助巻線を有するトランスと、前記一次側コイルと接地点の間における導通／遮断の切替を行うスイッチ素子と、前記スイッチ素子に、前記切替を繰返すスイッチング動作を行わせるスイッチング制御部と、前記補助巻線から得られる電力を、前記スイッチング制御部へ駆動電力として供給する補助巻線電力供給回路と、を備え、前記スイッチング動作によって前記トランスに入力電力を変換させ、変換された電力を負荷へ供給するスイッチング電源回路であって、前記スイッチング制御部は、所定の条件下において、前記スイッチング動作が行われる期間と前記スイッチング動作が停止される期間が所定周期で交互に繰り返される間欠動作が行われるようにし、前記補助巻線電力供給回路は、前記補助巻線から前記スイッチング制御部への前記駆動電力の伝送経路において、該駆動電力の充放電を行うコンデンサが少なくとも二つ接続されている構成とする。
【０００７】
本構成によれば、間欠動作が行われる際にスイッチング制御部の駆動電力が不足することを防ぎ、間欠動作を適切に行わせることが容易となる。そのため、電気機器が待機状態等であるときに間欠動作が行われるようにし、電気機器の待機電力等を小さくすることが容易となる。
【０００８】
また上記構成としてより具体的には、前記補助巻線電力供給回路は、アノードが前記補助巻線に接続された第１ダイオードと、アノードが第１ダイオードのカソードに接続され、カソードが前記スイッチング制御部に接続された第２ダイオードと、一端が第１ダイオードと第２ダイオードの間にある第１接続点に接続され、他端が接地された第１コンデンサと、一端が第２ダイオードと前記スイッチング制御部の間に接続され、他端が接地された第２コンデンサと、を備え、第１コンデンサと第２コンデンサが、前記駆動電力の充放電を行うように形成されている構成としてもよい。
【０００９】
また上記構成において、前記補助巻線電力供給回路は、第１ダイオードと第１接続点との間、および第２ダイオードと第１接続点との間の各々に、抵抗器が設けられている構成としてもよい。本構成によれば二つの抵抗器を有することにより、例えばスイッチング制御部への駆動電力の供給が可能となる時間を、各抵抗器の調整によって適切な長さに設定することが容易となる。
【００１０】
また上記構成としてより具体的には、第１コンデンサおよび第２コンデンサは、電解コンデンサである構成としてもよい。
【００１１】
また上記構成において、前記スイッチング制御部は、所定の間欠動作指示信号が与えられているときに、前記間欠動作が行われるようにし、前記間欠動作指示信号が与えられていないときに、入力されるフィードバック信号に基づいて前記トランスによって変換される電力が目標値に近づくように、前記スイッチング動作をフィードバック制御する構成としてもよい。本構成によれば、スイッチング動作のフィードバック制御が行われるようにしつつ、必要に応じて、間欠動作が行われるようにすることが可能となる。
【００１２】
また上記構成としてより具体的には、二次側が前記スイッチング制御部に接続された第１フォトカプラを有し、前記スイッチング制御部への前記フィードバック信号の伝送に用いられるフィードバック回路と、二次側が前記スイッチング制御部に接続された第２フォトカプラを有し、前記スイッチング制御部への前記間欠動作指示信号の伝送に用いられるスリムスタンバイ回路と、を備えた構成としてもよい。
【００１３】
また上記構成としてより具体的には、第２フォトカプラの二次側は、第１フォトカプラの二次側と前記スイッチング制御部の間にある第２接続点に接続されており、第２フォトカプラがＯＮの状態であるときに、第２接続点側から電流を引込むように機能する構成としてもよい。
【００１４】
また本発明に係る電気機器は、上記構成のスイッチング電源回路を備え、該スイッチング電源回路からの供給電力を用いて駆動する電気機器であって、待機状態であるときに、前記間欠動作指示信号が前記スリムスタンバイ回路を介して前記スイッチング制御部へ出力される構成としてもよい。本構成によれば、待機状態であるときに間欠動作が行われるようにし、待機電力を小さくすることが可能となる。
【００１５】
また上記構成において、過電圧または短絡が生じたときに、所定の保護信号が前記スリムスタンバイ回路を介して前記スイッチング制御部へ出力され、前記スイッチング制御部は、前記保護信号を受けたときに、前記スイッチング動作を停止させる構成としてもよい。本構成によれば、スリムスタンバイ回路を過電圧保護または短絡保護にも利用することが可能となる。
【発明の効果】
【００１６】
本発明に係るスイッチング電源回路によれば、電気機器の待機電力等を小さくすることが容易となる。
【図面の簡単な説明】
【００１７】
【図１】本発明の実施形態に係るディスク再生機器の構成図である。
【図２】第１実施形態のスイッチング電源回路、およびその周辺の構成図である。
【図３】第１実施形態の補助巻線電力供給回路、およびその周辺の構成図である。
【図４】第１実施形態の別形態の補助巻線電力供給回路、およびその周辺の構成図である。
【図５】第１実施形態のスリムスタンバイ回路、およびその周辺の構成図である。
【図６】間欠動作指示信号の波形に関する説明図である。
【図７】第２実施形態のスイッチング電源回路、およびその周辺の構成図である。
【図８】第２実施形態のスリムスタンバイ回路、およびその周辺の構成図である。
【図９】第３実施形態のスイッチング電源回路、およびその周辺の構成図である。
【図１０】第３実施形態のスリムスタンバイ回路、およびその周辺の構成図である。
【発明を実施するための形態】
【００１８】
本発明の実施形態について第１実施形態から第３実施形態の各々を例に挙げ、以下に説明する。なお各実施形態では電気機器の一例としてディスク再生機器を挙げるが、電気機器の種類はこれに限られるものではない。
【００１９】
１．第１実施形態
［ディスク再生機器の全体構成］
まず第１実施形態について説明する。図１は、本実施形態に係るディスク再生機器１の全体的な構成図である。本図に示すようにディスク再生機器１は、光ピックアップ部２、信号処理部３、操作部４、スイッチング電源回路（電源部）５、および制御部６などを備えている。
【００２０】
光ピックアップ部２は、レーザダイオードや各種の光学部品等により構成されており、光ディスクの情報記録面（映像や音声の情報が記録されているとする）にレーザ光を当て、その反射光に応じた電気信号を信号処理部３に送出する。これにより、光ディスクからの情報読取が実現される。
【００２１】
信号処理部３は、光ピックアップ部２から伝送された電気信号に各種の処理（復調処理など）を施し、当該電気信号に基づいた映像信号および音声信号を生成する。生成された信号は、例えば外部のディスプレイやスピーカに出力され、映像表示や音声出力に用いられる。
【００２２】
操作部４は、例えば、押しボタンスイッチやリモコン送受信機によって構成されており、ユーザによる各種の操作指示を受け付ける役割を果たす。なおユーザの操作指示には、電源のＯＮ／ＯＦＦ切替指示（ディスク再生機器１の動作状態を、通常状態と待機状態の間で切替える指示）が含まれる。
【００２３】
スイッチング電源回路５は、ディスク再生機器１の各部へ電源電力を供給する役割を果たす。ディスク再生機器１は、スイッチング電源回路５からの供給電力を用いて駆動する。なおスイッチング電源回路５の構成や動作については、改めて詳細に説明する。
【００２４】
制御部６は、ディスク再生機器１の動作制御を行うマイコンＩＣ６１等を有している。マイコンＩＣ６１は、電源のＯＮ／ＯＦＦ切替指示がなされると、ディスク再生機器１の動作状態を通常状態と待機状態の間で切替える。
【００２５】
通常状態は、ディスク再生機器１が本来の各動作を行う状態であり、待機状態は、ディスク再生機器１の一部動作（光ディスクからの情報読取に関わる動作等）が行われない代わりに、消費電力が低減する状態である。ユーザは、不使用時にはディスク再生機器１を待機状態に設定しておき、消費電力を抑えるようにすることが可能である。
【００２６】
なお待機状態での消費電力（待機電力）は、通常状態での消費電力に比べて小さい。そのためマイコンＩＣ６１は待機状態において、電源電力の供給量が抑えられるようにする信号（後述する、間欠動作指示信号ＳC）をスイッチング電源回路５へ送出する。間欠動作指示信号ＳCの用途等については、後述の説明により明らかとなる。
【００２７】
［スイッチング電源回路の構成］
次に、スイッチング電源回路５の構成等について説明する。図２は、スイッチング電源回路５およびその周辺の構成図である。本図に示すように、スイッチング電源回路５は、整流回路５１、トランス（フライバックトランス）５２、スイッチ素子５３、コントローラＩＣ５４、補助巻線電力供給回路５５、フィードバック回路５６、およびスリムスタンバイ回路５７などを備えている。スイッチング電源回路５は、前段側に交流電源（例えば商用電源）が接続され、後段側には負荷（ディスク再生機器１の各部）が接続される。
【００２８】
整流回路５１は、例えばダイオードブリッジ等により構成されている。整流回路５１は、交流電源から送られる入力電力に整流処理を施し、トランス５２およびコントローラＩＣ５４等へ送出する。
【００２９】
トランス５２は、一次側コイル５２ａと二次側コイル５２ｂを有するとともに、一次側に補助巻線５２ｃが設けられている。一次側コイル５２ａは、一端が整流回路に接続され、他端がスイッチ素子５３に接続されている。また補助巻線５２ｃは、二次側コイル５２ｂの電流によって電圧が誘起され、電力が生じるように形成されている。
【００３０】
スイッチ素子５３は、例えばＮチャネル型のパワーＭＯＳＦＥＴにより構成されている。スイッチ素子５３は、コントローラＩＣ５４から受取るスイッチ制御信号ＳSWに応じて、一次側コイル５２ａと接地点の間における導通／遮断の切替を行う。なおスイッチ素子５３は、当該切替を繰返すスイッチング動作（以下、単に「スイッチング動作」と称する）を行うことが可能である。
【００３１】
スイッチング動作によって、一次側コイル５２ａの電流状態が切替えられ、トランス５２の二次側に所定電圧を発生させることが可能である。スイッチング電源回路５によれば、スイッチング動作によってトランス５２に入力電力を変換させ、変換された電力を負荷へ供給することが可能である。
【００３２】
コントローラＩＣ５４は、スイッチ制御信号ＳSWを出力してスイッチ素子５３の動作を制御する。なおコントローラＩＣ５４は、信号の入出力等に用いられる各種のポート（端子）を有している。コントローラＩＣ５４が有する各種のポートには、整流回路５１側からの駆動電力の入力に用いられる第１電源ポートＰ１、補助巻線電力供給回路５５側からの駆動電力の入力に用いられる第２電源ポートＰ２、スイッチ制御信号ＳSWの出力に用いられる出力ポートＰ３、および、フィードバック信号等の入力に用いられる入力ポートＰ４が含まれる。
【００３３】
コントローラＩＣ５４は、スイッチング電源回路５の起動時においては、第１電源ポートＰ１に入力される駆動電力を用いて駆動し、その後は第２電源ポートＰ２に入力される駆動電力を用いて駆動する。またコントローラＩＣ５４は、入力ポートＰ４がＬレベルではない場合に、スイッチング動作が継続的に行われるようにするが、入力ポートＰ４がＬレベルである場合（Ｌレベルの信号が入力されているとき）には、スイッチング動作を停止させるようになっている。
【００３４】
補助巻線電力供給回路５５は、補助巻線５２ｃに生じた電力を、駆動電力としてコントローラＩＣ５４等に供給する役割を果たす。図３に、補助巻線電力供給回路５５およびその周辺の構成図を示す。本図に示すように補助巻線電力供給回路５５は、第１ダイオードＤ１、第２ダイオードＤ２、第１コンデンサＣ１、第２コンデンサＣ２、および第１抵抗器Ｒ１を有している。第１コンデンサＣ１および第２コンデンサＣ２は、電解コンデンサである。
【００３５】
第１ダイオードＤ１は、アノードが補助巻線５２ｃに接続されている。また第２ダイオードＤ２は、アノードが第１ダイオードＤ１のカソードに接続され（より厳密には、第１抵抗器Ｒ１を介して第１ダイオードＤ１のカソードに接続され）、カソードがコントローラＩＣ５４（第２電源ポートＰ２）に接続されている。また第１コンデンサＣ１は、一端が第１ダイオードＤ１と第２ダイオードＤ２の間（より厳密には、第１抵抗器Ｒ１と第２ダイオードＤ２の間）にある接続点Ｘ１に接続され、他端が接地されている。また第２コンデンサＣ２は、一端が第２ダイオードＤ２とコントローラＩＣ５４の間に接続され、他端が接地されている。
【００３６】
補助巻線５２ｃに生じた電力は、第１ダイオードＤ１、第１抵抗器Ｒ１、および第２ダイオードＤ２を順に介し、駆動電力としてコントローラＩＣ５４に送出される。また各コンデンサ（Ｃ１、Ｃ２）は、当該駆動電力の充放電を行う役割を果たす。このように補助巻線５２ｃからコントローラＩＣ５４への当該駆動電力の伝送経路には、当該駆動電力の充放電を行うように形成されているコンデンサとして、二つのコンデンサが接続されている。なお補助巻線電力供給回路５５は、補助巻線５２ｃに生じた電力の一部をスリムスタンバイ回路５７へ送出することも可能となっている。
【００３７】
また図４に、別形態の補助巻線電力供給回路５５およびその周辺の構成図を示す。図４に示す補助巻線電力供給回路５５は、図３に示すものに比べ、第２抵抗器Ｒ２が追加された構成となっている。これにより図４に示す補助巻線電力供給回路５５は、第１ダイオードＤ１と接続点Ｘ１の間、および第２ダイオードＤ２と接続点Ｘ１の間の各々に、抵抗器が設けられた構成となっている。このように二つの抵抗器を有する構成によれば、例えばコントローラＩＣ５４への駆動電力の供給が可能となる時間を、各抵抗器の調整によって適切な長さに設定することがより容易となる。
【００３８】
図２に戻り、フィードバック回路５６は、第１フォトカプラ５６ａを有し、第１フォトカプラ５６ａを介した入力ポートＰ４への信号送出に用いられる。なお第１フォトカプラ５６ａは、一次側が発光ダイオードにより形成され、二次側がフォトトランジスタにより形成されている。
【００３９】
第１フォトカプラ５６ａの二次側は、コレクタが入力ポートＰ４に接続されており、エミッタが接地されている。また第１フォトカプラ５６ａの一次側は、アノードにフィードバック信号ＳFBが入力されるようになっており、カソードは接地されている。これによりフィードバック回路５６は、第１フォトカプラ５６ａによって一次側と二次側の絶縁を保ちながら、フィードバック信号ＳFBを入力ポートＰ４へ送出する役割を果たす。
【００４０】
フィードバック信号ＳFBは、コントローラＩＣ５４に、スイッチング動作をフィードバック制御させるための信号である。フィードバック信号ＳFBは、マイコンＩＣ６１によって生成されるようになっていても良い。
【００４１】
トランス５２の二次側の電圧が所定の目標値を超えたときには、Ｈレベルのフィードバック信号ＳFBがフィードバック回路５６に入力される。その結果、第１フォトカプラ５６ａがＯＮの状態（二次側のコレクタ−エミッタ間が導通する状態）となることにより入力ポートＰ４はＬレベルとなり、スイッチング動作が停止されることになる。
【００４２】
一方、トランス５２の二次側の電圧が目標値を超えていないときには、Ｌレベルのフィードバック信号ＳFBがフィードバック回路５６に入力される。その結果、第１フォトカプラ５６ａはＯＦＦの状態（二次側のコレクタ−エミッタ間が導通しない状態）となり、入力ポートＰ４はＬレベルとはならない。そのためこの場合は、フィードバック信号ＳFBに基づいてスイッチング動作が停止されることはない。
【００４３】
コントローラＩＣ５４はフィードバック信号ＳFBが入力されることにより、トランス５２によって変換される電力が目標値に近づくように、スイッチング動作をフィードバック制御することになる。但し後述するように、マイコンＩＣ６１が間欠動作指示信号ＳCを出力しているときは、所定の間欠動作が優先的に行われることになる。
【００４４】
スリムスタンバイ回路５７は、図５に示すように第２フォトカプラ５７ａを有しており、第２フォトカプラ５７ａを介した入力ポートＰ４への信号送出に用いられる。第２フォトカプラ５７ａは、一次側が発光ダイオードにより形成され、二次側がフォトトランジスタにより形成されている。なお第２フォトカプラ５７ａは、一次側のアノードには、マイコンＩＣ６１からの信号（間欠動作指示信号ＳC等）が入力されるようになっており、二次側のコレクタは、ＮＰＮ型トランジスタ５７ｂ等を介して入力ポートＰ４に接続されている。
【００４５】
より具体的には、第２フォトカプラ５７ａの一次側は、アノードが抵抗Ｒ１１を介してマイコンＩＣ６１に接続されており、カソードが接地されている。また当該アノードと抵抗Ｒ１１との間は、抵抗Ｒ１２を介して接地されているとともに、コンデンサＣ１１を介して接地されている。
【００４６】
また第２フォトカプラ５７ａの二次側のコレクタは、抵抗Ｒ１３を介してトランジスタ５７ｂのベースに接続されており、第２フォトカプラ５７ａの二次側のエミッタは接地されている。またトランジスタ５７ｂは、ベースが抵抗Ｒ１４を介して接地されており、エミッタが接地されている。なおトランジスタ５７ｂのコレクタは、抵抗Ｒ１５を介して、第１フォトカプラ５６ａの二次側と入力ポートＰ４の間にある接続点Ｘ２に接続されている。またトランジスタ５７ｂのベースには、補助巻線電力供給回路５５から抵抗Ｒ１６を介して、電力が供給されるようになっている。
【００４７】
マイコンＩＣ６１からＬレベルの信号がスリムスタンバイ回路５７に入力されているときは、第２フォトカプラ５７ａはＯＦＦの状態となる。これによりトランジスタ５７ｂはＯＮ（コレクタ−エミッタ間が導通する状態）の状態となり、コレクタからエミッタへ電流を引き込むように機能する。そのため、マイコンＩＣ６１からスリムスタンバイ回路５７へ出力される信号がＬレベルのときは、入力ポートＰ４はＬレベルに固定され、スイッチング動作は強制的に停止される。
【００４８】
一方、マイコンＩＣ６１からＨレベルの信号がスリムスタンバイ回路５７に入力されているときは、第２フォトカプラ５７ａはＯＮの状態となる。これによりトランジスタ５７ｂはＯＦＦ（コレクタ−エミッタ間が導通しない状態）の状態となり、コレクタからエミッタへの電流の引き込みはなされない。そのため、マイコンＩＣ６１からスリムスタンバイ回路５７へ出力される信号がＨレベルのときは、入力ポートＰ４がＬレベルに固定されることはない。この場合には、入力ポートＰ４の状態は、フィードバック信号ＳFBに応じたものとなる。
【００４９】
上述したようにスリムスタンバイ回路５７は、第２フォトカプラ５７ａによって一次側と二次側の絶縁を保ちながら、マイコンＩＣ６１から与えられる信号（間欠動作指示信号ＳC等）を入力ポートＰ４へ送出する役割を果たす。
【００５０】
［間欠動作について］
マイコンＩＣ６１は、ディスク再生機器１の動作状態が通常状態である場合には、常時Ｈレベルである信号（間欠動作の不実行の指示に相当する）をスリムスタンバイ回路５７へ出力する。これによりスイッチング電源回路５は、通常通りに（スイッチング動作をフィードバック制御するように）動作することとなる。
【００５１】
一方、ディスク再生機器１の動作状態が待機状態である場合には、マイコンＩＣ６１は間欠動作指示信号ＳC（間欠動作の実行指示に相当する）をスリムスタンバイ回路５７へ出力する。なお間欠動作指示信号ＳCの波形は、図６に示す通りである。図６に示すように間欠動作指示信号ＳCは、２．０秒間のＨレベル状態と８．０秒間のＬレベル状態が、交互に繰り返される波形となっている。
【００５２】
このような間欠動作指示信号ＳCがスリムスタンバイ回路５７に入力されると、コントローラＩＣ５４は、２．０秒間のスイッチング動作の実行と８．０秒間のスイッチング動作の停止が交互に繰り返されるように（間欠動作が行われるように）、スイッチ素子５３を制御することとなる。これによりトランス５２の一次側においては、２．０秒間の発振状態と８．０秒間の発振停止状態が交互に繰り返され、比較的長い周期でのデューティ固定制御（周期が１０．０秒、発振状態のデューティが２０％）が実現される。そのため電力の無駄が少なくなり、待機電力を小さくすることが可能となる。
【００５３】
なお本実施形態では先述したように、補助巻線電力供給回路５５において、コントローラＩＣ５４の駆動電力の充放電を行う二つのコンデンサ（第１コンデンサＣ１と第２コンデンサＣ２）が設けられている。これにより、上述したような比較的長い周期でのデューティ固定制御がなされても、コントローラＩＣ５４が正常に駆動するようになっている。
【００５４】
なお上述した二つのコンデンサが設けられていない（例えば一つのコンデンサしか設けられていない）と仮定した場合、長い周期でのデューティ固定制御がなされると、長時間の発振停止状態において第２電源ポートＰ２へ送られる駆動電力が不足し、コントローラＩＣ５４を正常に駆動させることが難しくなる。しかし本実施形態では、上述した二つのコンデンサによって放電と充電の反復動作が可能となっているため、補助巻線電力供給回路５５において電力を比較的長い間保持することができる。そのため、第２電源ポートＰ２へ送られる駆動電力の不足が回避され、コントローラＩＣ５４を正常に駆動させることが可能である。
【００５５】
また上述の通りコントローラＩＣ５４は、間欠動作指示信号ＳCが与えられているときに間欠動作が行われるようにし、間欠動作指示信号ＳCが与えられていないときに、入力されるフィードバック信号ＳFBに基づいてスイッチング動作をフィードバック制御する。そのためスイッチング電源回路５によれば、スイッチング動作のフィードバック制御が行われるようにしつつ、必要に応じて、間欠動作が行われるようにすることが可能である。
【００５６】
２．第２実施形態
次に第２実施形態について説明する。なお第２実施形態は、ディスク再生機器に保護回路が設けられた点を除き、基本的には第１実施形態と同様である。以下の説明では、第１実施形態と異なる点の説明に重点をおき、共通する点については説明を省略することがある。
【００５７】
図７は、スイッチング電源回路５およびその周辺の構成図である。本図に示すように第２実施形態では、スリムスタンバイ回路５７に保護回路６２が接続されている。保護回路６２は、ディスク再生機器１における過電圧保護および短絡保護を実現させるための回路である。
【００５８】
図８は、スリムスタンバイ回路５７およびその周辺の構成図である。本図に示すように保護回路６２は、ＮＰＮ型トランジスタ６２ａを有している。トランジスタ６２ａのコレクタは、抵抗Ｒ２１を介して、ダイオードＤ２２のアノードおよび第２フォトカプラ５７ａの一次側のアノードに接続されている。またダイオードＤ２２のカソードは、短絡検出ライン６２ｂに接続されている。またトランジスタ６２ａのベースは、抵抗Ｒ２２を介して接地されているとともに、抵抗Ｒ２３を介してツェナーダイオードＤ２１のアノードに接続されている。またツェナーダイオードＤ２１のカソードは、過電圧検出ライン６２ｃに接続されている。またトランジスタ６２ａのエミッタは接地されている。
【００５９】
ディスク再生機器１内の回路において過電圧が生じたとき、過電圧検出ライン６２ｃ側からツェナーダイオードＤ２１側へ向かう電流Ｉａが、流れるようになっている。これによりトランジスタ６２ａはＯＮの状態となり、保護回路６２はスリムスタンバイ回路５７から電流を引き込むように機能する。そのため第２フォトカプラ５７ａはＯＦＦの状態に固定される。
【００６０】
ディスク再生機器１内の回路において接地点等との短絡が生じたとき、ダイオードＤ２２側から短絡検出ライン６２ｂ側へ向かう電流Ｉｂが、流れるようになっている。これにより保護回路６２は、スリムスタンバイ回路５７から電流を引き込むように機能する。そのため第２フォトカプラ５７ａはＯＦＦの状態に固定される。
【００６１】
このように保護回路６２によれば、ディスク再生機器１において過電圧或いは短絡が生じたときに、第２フォトカプラ５７ａをＯＦＦの状態に固定するようになっている。これにより入力ポートＰ４がＬレベルに固定され、スイッチング動作は強制的に停止される。その結果、過電圧或いは短絡によるディスク再生機器１の破損等は回避される。
【００６２】
上述したように本実施形態のディスク再生機器１によれば、スリムスタンバイ回路５７が過電圧保護や短絡保護の用途にも利用されるようにし、スリムスタンバイ回路５７をより有効に活用することが可能となっている。なお実施形態によれば、例えばマイコンＩＣ６１が過電圧保護や短絡保護を行うための保護信号を出力する形態（この形態では、保護信号の出力等に用いられるセーフティポートを、マイコンＩＣ６１に設けておく必要がある）に比べ、マイコンＩＣ６１のポート数を削減することが可能である。
【００６３】
３．第３実施形態
次に第３実施形態について説明する。なお第３実施形態は、スリムスタンバイ回路の構成が変更された点を除き、基本的には第１実施形態と同様である。以下の説明では、第１実施形態と異なる点の説明に重点をおき、共通する点については説明を省略することがある。
【００６４】
図９は、スイッチング電源回路５およびその周辺の構成図である。本図に示すように第３実施形態では、スリムスタンバイ回路５７は補助巻線電力供給回路５５に接続されておらず、補助巻線電力供給回路５５からの電力供給（補助巻線５２ｃに生じた電力の供給）は行われないようになっている。
【００６５】
図１０は、スリムスタンバイ回路５７およびその周辺の構成図である。本図に示すようにスリムスタンバイ回路５７においては、第２フォトカプラ５７ａの一次側のアノードは、論理反転回路５７ｃと抵抗Ｒ１１を介してマイコンＩＣ６１に接続されており、第２フォトカプラ５７ａの一次側のカソードは接地されている。また第２フォトカプラ５７ａの一次側のアノードは、抵抗Ｒ１２を介して接地されているとともに、コンデンサＣ１１を介して接地されている。
【００６６】
また第２フォトカプラ５７ａの二次側のコレクタは、抵抗Ｒ１３を介して、第１フォトカプラ５６ａの二次側と入力ポートＰ４の間にある接続点Ｘ２に接続されている。また第２フォトカプラ５７ａの二次側のエミッタは接地されている。なお論理反転回路５７ｃは、マイコンＩＣ６１側から入力される信号の論理を反転させて、第２フォトカプラ５７ａへ出力するように形成されている。
【００６７】
マイコンＩＣ６１からＬレベルの信号がスリムスタンバイ回路５７に入力されているときは、第２フォトカプラ５７ａはＯＮの状態となる。これにより第２フォトカプラ５７ａの二次側は、コレクタからエミッタへ電流を引き込むように機能する。そのためマイコンＩＣ６１からの入力信号がＬレベルのときは、入力ポートＰ４はＬレベルに固定され、スイッチング動作は強制的に停止される。
【００６８】
一方、マイコンＩＣ６１からＨレベルの信号がスリムスタンバイ回路５７に入力されているときは、第２フォトカプラ５７ａはＯＦＦの状態となる。これにより第２フォトカプラ５７ａの二次側において、コレクタからエミッタへの電流の引き込みはなされない。そのためマイコンＩＣ６１からの入力信号がＨレベルの場合には、入力ポートＰ４がＬレベルに固定されることはない。この場合には、入力ポートＰ４の状態は、フィードバック信号ＳFBに応じたものとなる。
【００６９】
上述したことから第３実施形態においても第１実施形態の場合と同様に、マイコンＩＣ６１がスリムスタンバイ回路５７へ間欠動作指示信号ＳCを出力すると、コントローラＩＣ５４は、間欠動作が行われるようにスイッチ素子５３を制御することになる。
【００７０】
なお第２フォトカプラ５７ａの二次側のコレクタは、第１フォトカプラ５６ａの二次側と入力ポートＰ４の間にある接続点Ｘ２に接続されており、第２フォトカプラ５７ａがＯＮの状態であるときに、接続点Ｘ２側から電流を引込むように機能する。
【００７１】
このような構成のスリムスタンバイ回路５７によれば、補助巻線５２ｃに生じた電力を用いずに、間欠動作指示信号Ｓｃの伝送が可能となる。そのため、例えばスイッチング電源回路５に電力を供給する交流電源が瞬断されて再投入された場合であっても、補助巻線５２ｃの残電荷の影響を受けずに済み、スイッチング電源回路５を早く立ち上げることが可能である。
【００７２】
なお第３実施形態においても、第２実施形態の場合のように保護回路６２を設けておき、スリムスタンバイ回路５７が過電圧保護や短絡保護の用途に兼用されるようにしても良い。この場合には、保護回路６２は正しく動作するように、過電圧或いは短絡が生じたときに第２フォトカプラ５７ａをＯＮの状態に固定するよう構成される。
【００７３】
４．その他
以上に説明した通り各実施形態に係るスイッチング電源回路５は、一次側コイル５２ａと二次側コイル５２ｂを有するとともに、二次側コイル５２ｂの電流よって電力が生じる補助巻線５２ｃを有するトランス５２と、一次側コイル５２ａと接地点の間における導通／遮断の切替を行うスイッチ素子５３と、スイッチ素子５３にスイッチング動作を行わせるコントローラＩＣ５４（スイッチング制御部）と、補助巻線５２ｃから得られる電力を、コントローラＩＣ５４へ駆動電力として供給する補助巻線電力供給回路５５と、を備えている。またスイッチング電源回路５は、スイッチング動作によってトランス５２に入力電力を変換させ、変換された電力を負荷へ供給する構成となっている。
【００７４】
またコントローラＩＣ５４は、間欠動作指示信号ＳCが与えられたとき、すなわち所定の条件下において、スイッチング動作が行われる期間とスイッチング動作が停止される期間が所定周期で交互に繰り返される間欠動作が行われるようにする。そして補助巻線電力供給回路５５は、補助巻線５２ｃからコントローラＩＣ５４への駆動電力の伝送経路において、この駆動電力の充放電を行う二つのコンデンサ（第１コンデンサＣ１と第２コンデンサＣ２）が接続されている。なおこのようなコンデンサは二つに限られず、三つ以上が設けられていても構わない。
【００７５】
そのためスイッチング電源回路５によれば、間欠動作によってスイッチング動作が比較的長く停止する状況下でも、二つ以上のコンデンサを用いた放電と充電の反復動作等を利用して、コントローラＩＣ５４へ供給すべき駆動電力が確保される。つまり、間欠動作が行われる際にコントローラＩＣ５４の駆動電力が不足することを防ぎ、間欠動作を適切に行わせることが容易となる。これにより間欠動作を適切に行うことが可能であり、ディスク再生機器１の待機電力を小さくすることが容易となっている。
【００７６】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。例えば本発明に係るスイッチング電源回路は、上記実施形態のようなフライバックコンバータの形態に限られず、他の形態となっていても構わない。本発明の技術的範囲は、上記実施形態の説明ではなく、特許請求の範囲によって示されるものであり、特許請求の範囲と均等の意味及び範囲内に属する全ての変更が含まれると理解されるべきである。なお本発明は、各種の電気機器等に利用することができる。
【符号の説明】
【００７７】
１      ディスク再生機器（電気機器）
２      光ピックアップ部
３      信号処理部
４      操作部
５      スイッチング電源回路
５１    整流回路
５２    トランス
５３    スイッチ素子
５４    コントローラＩＣ（スイッチング制御部）
５５    補助巻線電力供給回路
５６    フィードバック回路
５６ａ  第１フォトカプラ
５７    スリムスタンバイ回路
５７ａ  第２フォトカプラ
６      制御部
６１    マイコンＩＣ
６２    保護回路
【図１】
2014045591.tif 000003
【図２】
2014045591.tif 000004
【図３】
2014045591.tif 000005
【図４】
2014045591.tif 000006
【図５】
2014045591.tif 000007
【図６】
2014045591.tif 000008
【図７】
2014045591.tif 000009
【図８】
2014045591.tif 000010
【図９】
2014045591.tif 000011
【図１０】
2014045591.tif 000012